(57)【要約】【課題】カシメ等を行うことなく簡単な施工により高い強度で仮吊紐の確実な抜け防止を図ることができる照明器具を提供する。【解決手段】照明器具１０は、中反射板１５の仮吊紐引掛部１８，１９に、仮吊紐１６，１７を挿通させる第１スリット４７と、第１スリット４７に直交して一方側に形成され、その端部に仮吊紐１６，１７の結び目３７を保持する略円形状の孔４８を形成してなる第２スリット４９と、第１スリット４７と第２スリット４９との交わる箇所から分岐する第３スリット５０とを有し、第１スリット４７から第３スリット５０を直交させた。【選択図】図４
2011086440.tif 000002
【特許請求の範囲】
【請求項１】
光源を保持した器具本体と、
前記器具本体に取り付けられる中反射板と、
前記中反射板に取り付けられるルーバと、
前記器具本体と前記中反射板とを連結する仮吊紐と、
を備えた照明器具であって、
前記中反射板は、前記仮吊紐を引っ掛けるための仮吊紐引掛部を有し、
前記仮吊紐引掛部は、前記仮吊紐を挿通させる第１スリットと、前記第１スリットに直交して一方側に形成され、その端部に前記仮吊紐の結び目を保持する略円形状の孔を形成してなる第２スリットと、前記第１スリットと第２スリットとの交わる箇所から分岐する第３スリットとを有し、第１スリットから第３スリットが直交することを特徴とする照明器具。
【請求項２】
前記第１スリットは、前記仮吊紐の直径よりもわずかに小さいことを特徴とする請求項１に記載した照明器具。
【発明の詳細な説明】
【技術分野】
【０００１】
本発明は、例えば住宅や工場等の天井施工面に直接取り付けられる照明器具に関し、特にルーバを備えた照明器具に関する。
【背景技術】
【０００２】
従来の照明器具の一例として、一端をソケットカバーに連結固定し、他端を器具本体に連結した仮吊紐を備えたものがある（例えば、特許文献１参照）。
【先行技術文献】
【特許文献】
【０００３】
【特許文献１】特開２００９−５９６２５号公報（図１、段落番号００２３）
【発明の概要】
【発明が解決しようとする課題】
【０００４】
通常、ルーバと中反射板とを備えるルーバ付きの照明器具においては、蛍光ランプを交換する場合、メンテナンス性から中反射板を仮吊してランプ交換を行うことが一般的である。この場合、中反射板を仮吊するために、仮吊紐を器具本体と中反射板との間に結合しておくことにより仮吊機構を構成するが、中反射板より仮吊紐が外れて抜けないようにするために、仮吊紐の結び目を保持する孔と、仮吊紐を挿通させるためのスリットが設けられている。そして、仮吊紐を挿通した後に、スリットにカシメをして仮吊紐の抜け防止を図っていた。
【０００５】
しかし、このような照明器具では、カシメの精度によって、仮吊紐が抜けてしまう虞があり、またカシメを実施するための特別な工具や治具などを要して製造コストが高価なものになってしまう。
【０００６】
上記特許文献１に開示された従来の照明器具は、カシメを廃止して仮吊紐の抜け防止を図るようにしている。しかし、このような照明器具では、挿入口から係止孔までの隙間部が直線であり、万が一に、仮吊紐に隙間部の長さ方向の引張力が作用した場合、仮吊紐の本体部が隙間部から挿入口に移動してしまう。
従って、特許文献１の照明器具では、結び目を保持することができなくなって仮吊紐が抜けてしまうことが無いとは言えない。
【０００７】
本発明は、前述した課題を解決するためになされたものであり、その目的は、カシメ等を行うことなく簡単な施工により高い強度で仮吊紐の確実な抜け防止を図ることができる照明器具を提供することにある。
【課題を解決するための手段】
【０００８】
本発明に係る照明器具は、光源を保持した器具本体と、前記器具本体に取り付けられる中反射板と、前記中反射板に取り付けられるルーバと、前記器具本体と前記中反射板とを連結する仮吊紐と、を備えた照明器具であって、前記中反射板は、前記仮吊紐を引っ掛けるための仮吊紐引掛部を有し、前記仮吊紐引掛部は、前記仮吊紐を挿通させる第１スリットと、前記第１スリットに直交して一方側に形成され、その端部に前記仮吊紐の結び目を保持する略円形状の孔を形成してなる第２スリットと、前記第１スリットと第２スリットとの交わる箇所から分岐する第３スリットと、を有し、第１スリットから第３スリットが直交することを特徴とする。
【０００９】
本発明においては、仮吊紐は、結び目に結束された仮吊紐本体が仮吊紐引掛部の第１スリットに挿通されてから、第１スリットから第２スリットに直交して移動され、結び目が第２スリットの端部の孔の裏側で保持される。
これにより、本発明においては、万が一に、仮吊紐に第２スリットの長さ方向の引張力が作用した場合、仮吊紐は、第１スリットと第２スリットとの交わる箇所から分岐していて、第１スリットに直交する第３スリットへと移動することになる。
従って、本発明においては、仮吊紐は、第２スリットの長さ方向の引張力が作用したとしても、結び目が第１スリットへ移動せずに仮吊紐の確実な抜け防止を図ることができる。加えて、カシメ等を行うことなく簡単な施工により高い強度を得ることができる。
【００１０】
本発明に係る照明器具は、上記照明器具において、前記第１スリットは、前記仮吊紐の直径よりもわずかに小さいことを特徴とする。
【００１１】
本発明においては、第１スリットの内径は、仮吊紐の仮吊紐本体の直径よりもわずかに小さく形成されている。
これにより、本発明においては、仮吊紐を第１スリットに挿通させる際に、指で摘む等して仮吊紐本体の外径をわずかに小さく変形させて第１スリットに挿通させる。そして、第１スリットに挿通された仮吊紐本体は第２スリットに挿通されていく。
従って、本発明においては、第１スリットに一旦挿通された仮吊紐本体は第２スリットから第１スリットに戻ることがないので、仮吊紐の抜け防止性を、より一層向上させることができる。
【発明の効果】
【００１２】
本発明の照明器具によれば、中反射板に有する仮吊紐引掛部に、仮吊紐を挿通させる第１スリットと、第１スリットに直交して一方側に形成され、その端部に仮吊紐の結び目を保持する略円形状の孔を形成してなる第２スリットと、第１スリットと第２スリットとの交わる箇所から分岐する第３スリットと、を有し、第１スリットから第３スリットを直交させた。
これにより、本発明の照明器具によれば、カシメ等を行うことなく簡単な施工により高い強度で仮吊紐の確実な抜け防止を図ることができるという効果を有する。
【図面の簡単な説明】
【００１３】
【図１】本発明に係る第１実施形態の照明器具の斜め下方から視た外観斜視図
【図２】図１の照明器具の分解斜視図
【図３】図１の照明器具の中反射板とルーバとの組体の斜め上方から視た外観斜視図
【図４】図１の照明器具の中反射板の仮吊紐引掛部の拡大斜視図
【図５】本発明に係る第２実施形態の照明器具の中反射板の仮吊紐引掛部の拡大斜視図
【発明を実施するための形態】
【００１４】
以下、本発明の複数の実施形態に係る照明器具について図面を参照して説明する。
【００１５】
（第１実施形態）
本発明の第１実施形態である照明器具１０は、器具本体１１と、光源である一対の直管型の蛍光ランプ１２と、複数のルーバ１４と中反射板１５とを有する組体１３と、一対の第１仮吊紐１６および第２仮吊紐１７と、中反射板１５において第１仮吊紐１６および第２仮吊紐１７を引っ掛けるための一対の一方の中反射板側仮吊紐引掛部１８および他方の中反射板側仮吊紐引掛部１９とを備えて、天井施工面１に直接取り付けられる。
【００１６】
図１、図２に示すように、器具本体１１は、比較的薄い金属製板部材を用いて成形されており、天板２０と、一対の端板２１と、一対の側板２２とを有して下方を開放している。器具本体１１は、天板２０の下面において幅方向の中央部に、安定器２３と、電源端子台２４と、一対の中反射板取付バネ２５、２５とをそれぞれ取り付けている。器具本体１１は、天板２０の下面において幅方向の中央部に、長手方向に一対の取付ボルト孔２６，２６と、同じく長手方向で端板２１寄りに一対の器具本体側仮吊紐引掛け部２７，２７とを設けており、電源端子台２４の近傍に単一の電源線挿通孔２８を設けている。
【００１７】
器具本体１１の取付ボルト孔２６には、天井施工面１から床面に向けて突出設置されている一対の取付ボルト２が挿通される。そして、これら取付ボルト２に座金２９を介してナット３０がそれぞれねじ込まれることにより、器具本体１１が天井施工面１に接して組み付けられる。器具本体側仮吊紐引掛部２７は、天板２０を切り起し成形することにより、下方に向けてＶ字の板形状に突出形成されている。
【００１８】
電源線挿通孔２８には、天井施工面１側から電源線３が引き込まれる。電源線３は電源端子台２４に電気的に接続される。電源端子台２４からは安定器２３を通じてランプソケット３１へ不図示の器具電線が接続される。
【００１９】
中反射板取付バネ２５は、器具本体１１の天板２０から下方に向けてハ字形状に突出して配置されている。中反射板取付バネ２５は、両先端部に有するＬ字形状部分で中反射板１５に形成されている中反射板取付バネ係止部３２に係止されることにより中反射板１５を器具本体１１に保持する。器具本体１１は、それぞれの端板２１の内側に二対のランプソケット３１を対向させて取り付けている。
【００２０】
ルーバ１４は、器具本体１１と同様の比較的薄い金属製板部材を用いて成形されている。ルーバ１４は、器具本体１１の両側板２２の間隔寸法よりも小さい幅寸法を有し、中央部が大きく両側部が小さいものとして予め定められた高さ寸法を有する。
【００２１】
中反射板１５は、ルーバ１４と同様の比較的薄い金属製板部材を用いてＶ字形状に形成されている。中反射板１５は、器具本体１１の両端板２１の間隔寸法よりも小さい長さ寸法を有し、長手方向に沿った両外側に一対の副反射板３３をそれぞれ備える。中反射板１５は内側に空間部３４を有する。そのため、中反射板１５は、安定器２３、電源端子台２４、取付ボルト２，２、座金２９，２９およびナット３０，３０、電源線３、器具電線、器具本体側仮吊紐引掛部２７，２７のそれぞれを床面側から直視できないように空間部３４内に収納する。
【００２２】
第１仮吊紐１６は、所定の十分に長い長さ寸法を有する仮吊紐本体３５の一端部にＳ字形状をなす金属製のフック部３６を有し、仮吊紐本体３５の他端部に略球形状をなす結び目（図４参照）３７を有する。第２仮吊紐１７は、第１仮吊紐１６と同一に形成されており、仮吊紐本体３５の一端部にフック部３６を有し、仮吊紐本体３５の他端部に略球形状をなす結び目３７を有する。第１仮吊紐１６のフック部３６は器具本体１１の一方の器具本体側仮吊紐引掛部２７に引っ掛けられ、第２仮吊紐１７のフック部３６は器具本体１１の他方の器具本体側仮吊紐引掛部２７に引っ掛けられる。
【００２３】
図３に示すように、中反射板１５は、Ｖ字の板形状をなす中反射板本体３８の両端縁に、内側に折り曲げられた折曲板部３９，４０を形成している。中反射板１５は、ルーバ１４を装着するためのルーバ取付用スリット４１と、ルーバ取付用スリット４１の外側に配置された一対の折り曲げ片挿通用孔４２，４２とを長手方向の等間隔に複数有する。中反射板本体３８は、その両端部寄りに四角形の穴形状をなす一対の中反射板取付バネ係止部３２を形成している。
【００２４】
ルーバ１４は、その中央部に、上方から下方に向けてＶ字形状に切除されていて一対の折り曲げ片４３，４３を突出形成した中反射板取付用凹部４４を有する。折り曲げ片４３は舌片状に形成されており、中反射板１４の折り曲げ片挿通用孔４２，４２にそれぞれ挿通されてから中反射板１５の内面において折り曲げ成形されてルーバ１４を中反射板１５に固定する。
【００２５】
ルーバ１４は、中反射板取付用凹部４４の両側部に、上方から下方に向けて湾曲形状に切除された一対の蛍光ランプ逃げ凹部４５を有する。そして、ルーバ１４は、蛍光ランプ逃げ凹部４５の両外側に、上方から下方に向けてＩ字形状に切除された一対の副反射板取付用スリット４６，４６をそれぞれ有する。
【００２６】
一方の中反射板側仮吊紐引掛部１８は一方の折曲板部３９の一端側に配置され、他方の中反射板側仮吊紐引掛部１９は他方の折曲板部４０の他端側に一方の中反射板側仮吊紐引掛部１８に対称に配置されている。一方の中反射板側仮吊紐引掛部１８および他方の中反射板側仮吊紐引掛部１９は一方の折曲板部３９および他方の折曲板部４０に対称の同一形状に形成されているために、以下の説明では、一方の中反射板側仮吊紐引掛部１８と第１仮吊紐１６とについてのみ主として説明する。
【００２７】
図４に示すように、一方の中反射板側仮吊紐引掛部１８は、一方の折曲板部３９の端縁において開放していて第１仮吊紐１６の仮吊紐本体３５を挿通させるための第１スリット４７と、第１スリット４７に直交して一方側に形成されていて端部に第１仮吊紐１６の結び目３７を保持する略円形状の保持孔４８を形成してなる第２スリット４９と、第１スリット４７と第２スリット４９との交わる箇所から分岐する第３スリット５０と、を有する。一方の中反射板側仮吊紐引掛部１８は、第１スリット４７から第３スリット５０が直交配置されており、第１スリット４７は、第１仮吊紐１６の仮吊紐本体３５の直径寸法Ｄ１よりもわずかに小さい内径寸法Ｄ２に設定されている。
【００２８】
第１仮吊紐１６における一方の中反射板側仮吊紐引掛部１８への引掛けにあたり、器具本体１１の一方の器具本体側仮吊紐引掛部２７にフック部３６を引っ掛けた第１仮吊紐１６は、その結び目３７を一方の折曲板部３９の下側に配置した状態で、その仮吊紐本体３５を第１スリット４７に挿通させていく。このとき、第１スリット４７の内径は、第１仮吊紐１６の仮吊紐本体３５の直径よりもわずかに小さく形成されているために、指で摘む等して仮吊紐本体３５の外径をわずかに小さく変形させて第１スリット４７に挿通させていく。
【００２９】
第１スリット４７に仮吊紐本体３５が挿通された第１仮吊紐１６は、第１スリット４７内を移動され、第１スリット４７に直交する第２スリット４９に挿通されていく。第２スリット４９に挿通された第１仮吊紐１６は第２スリット４９内を移動されて保持孔４８に到達する。保持孔４８の内径は第１仮吊紐１６の結び目３７の外径よりも十分に小さいために、保持孔４８の下方に配置されている結び目３７は保持孔４８から上方に抜け出ずに、第１仮吊紐１６が一方の中反射板側仮吊紐引掛部１８に掛止されることになる。
【００３０】
このような照明器具１０は、工場における組立工程において、中反射板１５に複数のルーバ１４を組付けてから、副反射板取付用スリット４６に副反射板３３を挿入固定することにより、複数のルーバ１４と、一対の副反射板３３と、中反射板１５と、からなる組体１３が形成される。
【００３１】
そして、第１仮吊紐１６のフック部３６を一方の器具本体側仮吊紐引掛部２７に引っ掛けるとともに第１仮吊紐１６の結び目３７を一方の中反射板側仮吊紐引掛部１８に引掛け、同様に、第２仮吊紐１７のフック部３６を他方の器具本体側仮吊紐引掛部２７に引っ掛けるとともに第２仮吊紐１７の結び目３７を他方の中反射板側仮吊紐引掛部１９に引掛けておく。
【００３２】
施工現場において、器具本体１１の一対の取付ボルト孔２６を天井施工面１の取付ボルト２に合わせ、器具本体１１の電源線挿通孔２８に電源線３を引き込んで器具本体１１を所定位置に配置する。
【００３３】
次に、取付ボルト２に座金２９を介してナット３０をそれぞれネジ込むことにより、器具本体１１を天井施工面１に組み付ける。このとき、組体１３は、第１仮吊紐１６および第２仮吊紐１７により器具本体１１の下方に吊り下げられている。
【００３４】
そして、第１仮吊紐１６および第２仮吊紐１７により器具本体１１と組体１３との間に形成されている施工スペースを用いて二対のランプソケット３１に２本の蛍光ランプ１２をそれぞれ装着し、その後に、中反射板１５を中反射板取付バネ２５に組み付けることにより中反射板１５を器具本体１１に取り付ける。
【００３５】
ランプの交換時期やメンテナンス時期が到来した際に、中反射板１５を中反射板取付バネ２５から取り外す。すると、各フック部３６，３６が器具本体１１の各器具本体側仮吊紐引掛部２７，２７にそれぞれ引っ掛けられていて、各結び目３７，３７が各中反射板側仮吊紐引掛部１８，１９に掛止されている第１仮吊紐１６および第２仮吊紐１７により組体１３が器具本体１１の下方に吊り下げられる。
【００３６】
次に、第１仮吊紐１６および第２仮吊紐１７により器具本体１１と組体１３との間に形成されている施工スペースを用いて各蛍光ランプ１２の交換作業やメンテナンスを行うことになる。ランプの交換やメンテナンスが完了した後に、中反射板１５を中反射板取付バネ２５，２５に再び組み付けることにより中反射板１５を器具本体１１に取り付けて使用状態に復帰することになる。
【００３７】
この間、万が一に、第１仮吊紐１６に第２スリット４９の長さ方向の引張力が作用したとしても、第１仮吊紐１６は、第１スリット４７および第２スリット４９の交わる箇所から分岐していて、第１スリット４７に直交する第３スリット５０へと移動することになる。これにより、第１仮吊紐１６は第１スリット４７へ戻ることがない。
【００３８】
以上説明してきたように、本発明の第１実施形態の照明器具１０では、第１仮吊紐１６および第２仮吊紐１７は、結び目３７に結束された仮吊紐本体３５が中反射板側仮吊紐引掛部１８，１９の第１スリット４７に挿通されてから、第１スリット４７から第２スリット４９に直交して移動され、結び目３７が第２スリット４９の端部の保持孔４８の裏側で保持される。
これにより、本発明の第１実施形態の照明器具１０では、万が一に、第１仮吊紐１６および第２仮吊紐１７に第２スリット４９の長さ方向の引張力が作用した場合、第１仮吊紐１６および第２仮吊紐１７は、第１スリット４７および第２スリット４９の交わる箇所から分岐していて、第１スリット４７に直交する第３スリット５０へと移動することになる。
従って、本発明の第１実施形態の照明器具１０では、第１仮吊紐１６および第２仮吊紐１７は、第２スリット４９の長さ方向の引張力が作用したとしても、結び目３７が第１スリット４７へ移動せずに第１仮吊紐１６および第２仮吊紐１７の確実な抜け防止を図ることができる。加えて、カシメ等を行うことなく簡単な施工により高い強度を得ることができる。
【００３９】
本発明の第１実施形態の照明器具１０では、第１スリット４７の内径は、第１仮吊紐１６および第２仮吊紐１７の仮吊紐本体３５の直径よりもわずかに小さく形成されている。
これにより、本発明の第１実施形態の照明器具１０では、第１仮吊紐１６および第２仮吊紐１７を第１スリット４７に挿通させる際に、指で摘む等して仮吊紐本体３５の外径をわずかに小さく変形させて第１スリット４７に挿通させる。そして、第１スリット４７に挿通された仮吊紐本体３５は第２スリット４９に挿通されていく。
従って、本発明の第１実施形態の照明器具１０では、第１スリット４７に一旦挿通された仮吊紐本体３５は第２スリット４９から第１スリット４７に戻ることがないので、第１仮吊紐１６および第２仮吊紐１７の抜け防止性を、より一層向上させることができる。
【００４０】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００４１】
図５に示すように、本発明の第２実施形態の照明器具６０は、一方の中反射板側仮吊紐引掛部６１に、第１スリット６１と第２スリット６２と第３スリット６３との組み合わせを二回連続した。
【００４２】
即ち、一方の中反射板側仮吊紐引掛部６１に、一方の折曲板部３９の端縁において開放していて第１仮吊紐１６の仮吊紐本体３５を挿通させるための第１スリット６１と、第１スリット６１に直交する第２スリット６２と、第１スリット６１および第２スリット６２の交わる箇所から分岐する第３スリット６３と、第２スリット６２に直交する第４スリット（第１スリット）６４と、第４スリット６４に直交して一方側に形成されていて端部に第１仮吊紐１６の結び目３７を保持する略円形状の保持孔６５を形成してなる第５スリット（第２スリット）６６と、第４スリット６４および第５スリット６６の交わる箇所から分岐する第６スリット（第３スリット）６７と、を有する。
【００４３】
第１仮吊紐１６における一方の中反射板側仮吊紐引掛部１８への引掛けにあたり、器具本体１１の一方の器具本体側仮吊紐引掛部２７にフック部３６を引っ掛けた第１仮吊紐１６は、その結び目３７を一方の折曲板部３９の下側に配置した状態で、その仮吊紐本体３５を第１スリット６１に挿通させていく。第１スリット６１に仮吊紐本体３５が挿通された第１仮吊紐１６は、第１スリット６１内を移動され、第１スリット６１に直交する第２スリット６２に挿通されていく。
【００４４】
第２スリット６２に挿通された第１仮吊紐１６は第２スリット６２内を移動されていき、その仮吊紐本体３５を第４スリット６４に挿通させていく。第４スリット６４に仮吊紐本体３５が挿通された第１仮吊紐１６は、第４スリット６４内を移動され、第４スリット６４に直交する第５スリット６６に挿通されて保持孔６５に到達する。そして、第１仮吊紐１６の結び目３７が保持孔６５に保持されることにより、結び目３７が保持孔６５から上方に抜け出ずに、第１仮吊紐１６が一方の中反射板側仮吊紐引掛部１８に掛止されることになる。
【００４５】
第１仮吊紐１６および第２仮吊紐１７により組体１３を器具本体１１の下方に吊り下げている際に、万が一に、第１仮吊紐１６に第５スリット６６の長さ方向の引張力が作用したとしても、第１仮吊紐１６は、第４スリット６４および第５スリット６６の交わる箇所から分岐していて、第４スリット６４に直交する第６スリット６７へと移動することになる。これにより、第１仮吊紐１６は第１スリット６１へ戻って抜けることがない。
【００４６】
本発明の第２実施形態の照明器具６０は、第１実施形態と同様の作用効果を奏する。特に、本実施形態によれば、第１スリット６１と第２スリット６２と第３スリット６３との組み合わせを二回連続したことにより、より高い強度で第１仮吊紐１６および第２仮吊紐１７の確実な抜け防止を図ることができる。
【００４７】
なお、前記各実施形態で使用した器具本体１１、蛍光ランプ１２、ルーバ１４、中反射板１５等は例示したものに限定するものではなく適宜変更が可能である。
【符号の説明】
【００４８】
１０、６０  照明器具
１１  器具本体
１２  蛍光ランプ（光源）
１４  ルーバ
１５  中反射板
１６  第１仮吊紐（仮吊紐）
１７  第２仮吊紐（仮吊紐）
１８、１９  中反射板側仮吊紐引掛部（仮吊紐引掛部）
３７  結び目
４７、６１  （第４スリット）第１スリット
４８、６５  保持孔（孔）
４９、６２  （第５スリット）第２スリット
５０、６３  （第６スリット）第３スリット
【図１】
2011086440.tif 000003
【図２】
2011086440.tif 000004
【図３】
2011086440.tif 000005
【図４】
2011086440.tif 000006
【図５】
2011086440.tif 000007